(57)【特許請求の範囲】
【請求項１】
スペーサボディ（２）及びロック部材（３）を備えた、工具及び工具の付属品（３０）をツールスタンド（２０）から離間するためのスペーサー（１）であって、スペーサボディ（２）が、対向する第１面（４）及び第２面（５）を有し、ロック部材（３）が第１面（４）側の第１ロック部（６）から、第２面（５）側の第２ロック部（７）まで一体的に延び、ロック部材（３）が第１ロック部（６）から第２ロック部（７）に向かう方向に沿ってスペーサボディ（２）に対して摺動可能であり、第１ロック部（６）及び第２ロック部（７）にはそれぞれ少なくとも１つのロック面（１０、１１）が設けられ、
前記スペーサ（１）は、第１ロック部（６）及び第２ロック部（７）のいずれか一方のロック面（１０、１１）が、スペーサボディ（２）及びロック部材（３）間の付勢によるロック力を、第１ロック部（６）及び第２ロック部（７）の他方の各ロック面（１０、１１）に伝えるように配置され、
第１ロック部（６）及び第２ロック部（７）は、台形のロック面（１０）又はそれに対応する台形溝のロック面（１１）を有し、相互に相補的であって、そのため、一方のスペーサ（１）の第１ロック部（６）は、相互にその長さに沿って、すなわち、長手方向（１５、１６）に、走らせることによって、別のスペーサ（１）の第２ロック部（７）、前記工具及び工具の付属品（３０）の断面台形の舌片（３２）、又は、前記ツールスタンド（２０）の台形溝を受けとめるか又は受けとめられる、スペーサ（１）。
【請求項２】
ロック面（１０、１１）のそれぞれが、第１ロック部（６）から第２ロック部（７）に向かう方向に対して、平行ではない方向に所定の長さを有するように、延長している、請求項１に記載のスペーサ。
【請求項３】
第１ロック部（６）及び第２ロック部（７）が、それぞれ少なくとも１つの対応するタブノーズ（１３ａ）及び凹部（１２）をその長さに沿って有し、そのため、第１ロック部（６）及び第２ロック部（７）が相互にその長さに沿って走らせると、各対応するタブノーズ（１３ａ）及び凹部（１２）が互いに、ロック面（１０、１１）の所与の相対位置で係合する、請求項２に記載のスペーサ。
【請求項４】
少なくとも１つの対応するタブノーズ（１３ａ）が少なくとも１つのタブエッジ（１３ｂ）を有し、少なくとも１つの凹部（１２）が少なくとも１つの凹部エッジ（１２ａ）を有し、そのため、タブノーズ（１３ａ）及び凹部（１２）が互いに係合する場合、少なくとも１つの長さ方向（１５、１６）での摺動運動が１つの凹部エッジ（１２ａ）と係合する少なくとも１つのタブエッジ（１３ｂ）により阻害される、請求項３に記載のスペーサ。
【請求項５】
少なくとも１つの偏らせる部材（８）を備え、偏らせる部材（８）がロック部材（３）をスペーサボディ（２）に対して偏らせることで、少なくとも１つのタブノーズ（１３ａ）及び凹部（１２）を、相対位置に一旦到達したら係合させる、請求項３又は４に記載のスペーサ。
【請求項６】
第１ロック部（６）及び第２ロック部（７）の一方に留め具（１９）を設け、留め具（１９）が第１ロック部（６）及び第２ロック部（７）による留め具（１９）を越えての相対運動を防止する、請求項１〜５のいずれか一項に記載のスペーサ。
【請求項７】
ツールスタンド（２０）が、ロック部材（３）の第１ロック部（６）上の各ロック面に相補的なロック面（２１）を有し、工具及び工具の付属品（３０）が、ロック部材（３）の第２ロック部（７）上の各ロック面（１１）に相補的なロック面（３１）を有する、工具及び工具の付属品（３０）、ツールスタンド（２０）及び請求項１〜６のいずれか一項に記載のスペーサ（１）の組み合わせ装置。
【請求項８】
ツールスタンド（２０）が、ロック部材（３）の第１ロック部（６）上の各ロック面に相補的なロック面（２１）を有し、工具及び工具の付属品（３０）が、ロック部材（３）の第２ロック部（７）上の各ロック面（１１）に相補的なロック面（３１）を有する、工具及び工具の付属品（３０）、ツールスタンド（２０）及び請求項３、４、及び、５のいずれか一項に記載のスペーサ（１）の組み合わせ装置であって、
工具及び工具の付属品（３０）及びツールスタンド（２０）の少なくとも一方が、ロック面（１０、１１）が相補的である第１ロック部（６）又は第２ロック部（７）のタブノーズ（１３ａ）又は凹部（１２）にマッチする相補的なタブノーズ及び／又は凹部を有する、組み合わせ装置。
【請求項９】
工具及び工具の付属品（３０）及びツールスタンド（２０）のうちの一方が、ロック力をスペーサ（１）のロック面（１０、１１）のうちの一方に加えるように配置されたロック機構（２３）を有する、請求項７又は８に記載の組み合わせ装置。
【請求項１０】
スペーサ（１）がツールスタンド（２０）に取り付けられ、工具及び工具の付属品（３０）がスペーサ（１）に取り付けられ、スペーサボディ（２）がツール（３０）をツールスタンド（２０）から離間する、請求項７〜９のいずれか一項に記載の組み合わせ装置。
【請求項１１】
請求項１〜６のいずれか一項に記載の少なくとも１つの別のスペーサ（１ｂ）をさらに備え、スペーサ（１ａ）及び前記別のスペーサ（１ｂ）が連続的に連結され、前記スペーサ（１ａ）の第２ロック部（７）が、続く前記別のスペーサ（１ｂ）の第１ロック部（６）と係合し、スペーサ（１ａ、１ｂ）が工具及び工具の付属品（３０）に取り付けられ、スペーサ（１ａ、１ｂ）が取り付けられた工具及び工具の付属品（３０）がツールスタンド（２０）に取り付けられる、請求項７〜１０のいずれか一項に記載の組み合わせ装置。
【請求項１２】
工具及び工具の付属品（３０）がドリルモータ（３０）であり、ツールスタンドがドリルスタンド（２０）である、請求項７〜１１のいずれか一項に記載の組み合わせ装置。
【請求項１３】
工具及び工具の付属品（３０）をツールスタンド（２０）から離間する方法であって、該方法が、
請求項１〜６のいずれか一項に記載のスペーサ（１）を使用してツール（３０）をツールスタンド（２０）から離間する工程と、
次に、工具及び工具の付属品（３０）及びツールスタンド（２０）の一方のツールスタンド（２０）にある、ロック機構（２３）を使用し、ロック力をスペーサ（１）のロック面（１０、１１）の一方に加えて、スペーサ（１）を、工具及び工具の付属品（３０）及びツールスタンド（２０）の他方に対してロックするように、ロック力をスペーサ（１）の他方のロック面（１０、１１）に伝えるようにした工程とを含む、方法。
【発明の詳細な説明】
【技術分野】
【０００１】
本発明は、ツールをツールスタンドから離間する、例えばドリル又はドリルモータをツールスタンド又はドリルスタンドから離間するためのスペーサに関する。
【背景技術】
【０００２】
ツールを支持するためのスタンドを設けることが知られている。特に、ドリルを支持するためのドリルスタンドを設けることが知られている。典型的には、ドリルスタンドはドリルを支持し、同時に工作物に向かう又は工作物から離れる一方向（典型的には垂直方向である）での制御された動きを可能にする。
【０００３】
特定の状況では、ツール及びツールの付属品、例えばドリルビットのサイズに応じて、ツールとツールスタンドとの間隔をさらにあけることが望ましい。従来技術において、これはツール及びツールスタンドにクランプするスペーサを用意することで成し遂げられた。これだと２つの別々のロック機構及び各スペーサを装着する動きが必要となるため、組み立てに比較的手間がかかった。
【発明の概要】
【０００４】
本発明の第１の態様において、発明者はツールをツールスタンドから離間するためのスペーサを提供し、スペーサはスペーサボディ及びロック部材を備え、スペーサボディは対向する第１面及び第２面を有し、ロック部材は第１面に隣接するその第１端面から第２面に隣接するその第２端面まで延び、ロック部材は第１端面から第２端面に向かう方向に沿ってスペーサボディに対して摺動可能であり、第１端面及び第２端面にはそれぞれ少なくとも１つのロック面が設けられ、スペーサは、第１端面及び第２端面の一方の各ロック面にロック力を加えるとロック力が第１端面及び第２端面のもう一方の各ロック面に伝わるように配置される。
【０００５】
このため、ロック力を一方の面からもう一方の面に伝えることで、ロック力を一方の面に加えることによる一方の端面のロック動作が、そのロック力でスペーサのもう一方の端面をロックすることを可能にする。したがって、ロック機構の数又は複雑度を減らすことができる。
【０００６】
ロック面は、第１端面から第２端面に向かう方向に対して平行ではない方向である長さを有するような細長いものになり得る。第１端面及び第２端面は相補的になり得るため、あるスペーサの第１端面は、スペーサを重ねてその長さに沿って走らせることで別のスペーサの第２端面を受けとめることができる又は別のスペーサの第２端面で受け止めることができる。典型的には、これはスペーサを積層できるためさらなる離間を成し遂げられることを意味する。そのような場合、ロック力はあるスペーサの第１端面から別のスペーサの第２端面（又はその逆）に伝わる。
【０００７】
第１端面及び第２端面はそれぞれ少なくとも１つの対応するタブノーズ及び凹部をその長さに沿って有するため、第１端面及び第２端面を重ねてその長さに沿って走らせると、各対応するタブノーズ及び凹部は互いに、ロック面の所与の相対位置で係合する。これによってスペーサ又はスペーサ及びツール若しくはツールスタンドの正しい相対位置を決定することができ、その位置で適切に一体で保持される。
【０００８】
スペーサは少なくとも１つの偏らせる部材、例えばスプリングを備え得て、偏らせる部材はロック部材をスペーサボディに対して偏らせることで、タブノーズ及び凹部を、相対位置に一旦到達したら係合させる。これによってタブノーズと凹部との係合を改善することができ、またロック力が加わる前のスペーサの正しい位置での保持を支援することができる。
【０００９】
第１端面及び第２端面の少なくとも一方には留め具を設けることができ、この止め子は第１端面及び第２端面による留め具を越えての相対運動を防止する。これによって、ロック力が加わる前にスペーサが正しく位置決めされる傾向をさらに高めることができる。
【００１０】
本発明の第２の態様において、ツール、ツールスタンド及び本発明の第１の態様によるスペーサの組み合わせを提供し、ツールスタンドはロック部材の第１端面上の各ロック面に相補的なロック面を有し、ツールはロック部材の第２端面上の各ロック面に相補的なロック面を有する。
【００１１】
したがって、ツール及びツールスタンドの一方のロック面により加えられるロック力がスペーサを通ってツール及びツールスタンドのもう一方のロック面に伝わり、一方の端面に加えられたロック力をもう一方の端面で利用できることで、必要とされるロック構造の複雑度が低下することをさらに意味する。スペーサはツール上に取り付け得て、スペーサを取り付けたツールをツールスタンドに取り付け得て、スペーサボディがツールをツールスタンドから離間する。
【００１２】
ツール及びツールスタンドの少なくとも一方は、ロック面が相補的である第１又は第２端面のタブノーズ又は凹部にマッチする相補的なタブ及び／又は凹部を有し得る。これによってスペーサをツール又はツールスタンドに対して正確に位置決めすることができる。
【００１３】
ツール及びツールスタンドの一方は、典型的にはツール又はツールスタンドのロック面を使用してロック力をスペーサのロック面の一方に加えるように配置されたロック機構を有し得る。典型的には、ツール及びツールスタンドの一方だけが、ロック力をスペーサのロック面の一方に加えるように配置されたロック機構を有し得る。このため、１つのロック機構しか必要とせず、１つの動作でツールをスペーサに及びスペーサをツールスタンドにロックすることができる。
【００１４】
組み合わせは本発明の第１の態様による少なくとも１つの別のスペーサを備え得て、スペーサ及び各別のスペーサは連続的に連結され、あるスペーサの第２端面は続くスペーサの第１端面と係合し、スペーサはツールに取り付けられ、スペーサが取り付けられたツールはツールスタンドに取り付けられる。このため、スペーサを連続的に積み重ねることでより広い離間を成し遂げることができ、ある端面に加えられたロック力は依然としてスペーサ積層体の反対側の端面に伝わる。
【００１５】
本発明の第３の態様ではツールをツールスタンドから離間する方法を提供し、この方法は本発明の第１の態様によるスペーサを使用してツールをツールスタンドから離間し、次にツール及びツールスタンドの一方上にあるロック機構を使用してロック力をスペーサのロック面の一方に加えることでロック力をスペーサのもう一方のロック面に伝えてスペーサをツール及びツールスタンドのもう一方に対してロックすることを含む。
【００１６】
典型的には、本発明の方法は、ツール及びツールスタンドのもう一方上でロック機構を使用してロック力をスペーサのロック面に加えることを含まない。
【００１７】
上の態様のいずれに関しても、ツールはドリルになり得て、ツールスタンドはドリルスタンドになり得る。本発明を利用し得る他のツールはウォールソー（wall saw）、タイルソー（tile saw）及びメイソンリーソー（masonry saw、石切りのこ）である。
【図面の簡単な説明】
【００１８】
好ましい実施形態についての以下の説明において、添付の図面を参照する。
【図１】本発明のある実施形態によるスペーサの上からの正面斜視図である。
【図２】図１のスペーサの下からの正面斜視図である。
【図３】図１のスペーサの分解側面斜視図である。
【図４】ドリルモータ及びドリルスタンドと共に使用した図１のスペーサの分解斜視図である。
【図５】図４のスペーサ、ドリル及びドリルスタンドの係合の上からの分解拡大図である。
【図６】図４のスペーサ、ドリル及びドリルスタンドの係合の非分解拡大図である。
【図７】図１のスペーサの積層体の平面図である。
【発明を実施するための形態】
【００１９】
以下、添付の図面を参照しながら本発明についてより充分に説明する。図面は、本発明の１つ以上の態様を取り入れた本発明の実施形態例を示したものである。しかしながら、本発明は数多くの異なる形態で具現化し得て、本明細書に記載の実施形態に限定されると解釈すべきではない。むしろこれらの実施形態は、本開示が余すことなく完全なものとなり、本発明の範囲が当業者に充分に伝わるように挙げられている。例えば、本発明の１つ以上の態様を他の実施形態、さらには他のタイプのデバイスで利用することができる。図面において、同様の数字は同様の要素を表す。
【００２０】
本発明のある実施形態によるスペーサ１を添付の図面に示す。スペーサ１は、第１面４を第２面５から離間しているボディ２を備え、第１面４及び第２面５は互いに平行である。
【００２１】
ボディは係留ロック部材３を支持し、係留ロック部材３は、ボディに対して、第１面４及び第２面５に対して垂直な、第１面４から第２面５に向かう方向に沿って移動可能である。ロック部材３は、ボディに対して固定されたプレート９と、ロック部材３との間に作用するスプリング８により偏らされ、スプリング８にはロック部材を第１面４に向かう方向に偏らせる傾向がある。ロック部材３は２つの主要パーツ：グルーブパーツ（groove part）１７及びウェッジパーツ（wedge part）１８を有し、これらは穴１４ａに留めつけられたスクリュー１４により一体化される。これによってロック部材３の可動性は制限される。
【００２２】
ロック部材３は、第１面４に隣接した第１端面６及び第２面５に隣接した第２端面７を有する。第１端面６は第１面４から突出する。第１端面６は概して細長く、等しくない平行な辺を有する二等辺の台形の輪郭断面を有し、台形の平行な辺の短いほうが第２面５に最も近い。第２端面７は対応する形状をし、第１端面６を受けることができる細長い台形の溝を有する。このため、あるスペーサ１の第１端面を別のスペーサの第２端面７（又は後述するツール又はツールスタンドの対応する凹部）で受けることができる。
【００２３】
一方のスペーサ１のもう一方のスペーサに対する移動を制御するために、そのような移動を制限する２つの機構がある。第１番目は台形溝の端面をブロックするピン１９であり、２つのパーツにピン１９を越えた相対運動をさせない留め具（ストッパー）として機能する。この留め具（第１番目）はドリルモータの落下を防止し得る。しかしながら、第２の留め具もドリルモータが誤ってドリルスタンドから持ち上がるのを防止するのに有利となり得る。この問題は容易に着脱可能な第２の留め具により解決し得る。そのような留め具を、例えば、ピン１９から離れた、台形溝のもう一方の端部をブロックするように配置し得る。しかしながら、より洗練された解決策がある。第１端面６には、第１端面６の平行ではない両辺に一組の凹部１２が設けられてもよい。第２端面は、これらの凹部１２にマッチする１組のタブノーズ１３ａを有する。第１パーツ（第１端面）６が第２パーツ（第２端面）７に沿ってタブノーズ１３ａが凹部１２上にくる位置まで摺動すると、スプリング８の作用によりロック部材３が動いてタブノーズ１３ａが凹部１２に嵌る。これにより関係するパーツのさらなる相対運動がいずれかの方向に制限される。これはロック部材３を手動で動かして凹部１２をタブノーズ１３ａから外さない限り、タブ１３は凹部１２から解放されないからである。留め具が２つあるならば、相補面１１、１０は完全に平らとなり得る。２つの相補面が共に密着すると、スペーサがドリルスタンド及びドリルモータの両方に押しつけられる。しかし、面１１、１０が完全に平坦ではなく突出する複数のタブノーズ１３a及び複数の凹部１２を備えたものならば、これらは互いに係合する。各タブノーズ１３ａは少なくとも１つ、好ましくは２つのタブエッジ１３ｂを有する。方向１５、１６に走る溝に沿ってスペーサを押そうとすると、タブエッジ１３ｂが凹部エッジ１２ａと係合してその動きが停止する。図１、３に示すように、タブノーズ１３ａ及びタブエッジ１３ｂはスクリュー１３ｃで穴１３ｄに留めつけられる分離したタブ１３の一部である。しかし当然のことながら、代わりにこの構造を鋳込み又は機械加工により１つのパーツから形成することもできる。
【００２４】
このスペーサの使用を、添付の図面の図４〜６で実例を挙げて説明する。これらの図において、スペーサ１は、ドリル３０をドリルスタンド２０から離間するのに使用される。
【００２５】
ドリルモータ３０には断面台形の舌片３２が設けられ、舌片はスペーサ１の溝に相補的である。舌片３２はスペーサの第２端面７上のタブノーズ１３ａとマッチする凹部３３を有し、これは舌片３２をスペーサ１の溝に差し込んだ場合に、タブノーズ１３ａが凹部３３と係合し、一時的にスペーサ１をドリルモータに対して保持することを意味する。
【００２６】
ドリルスタンド２０には、第１端面６を受けることができる台形溝が設けられる。その溝は第２端面と同様のタブノーズ２１ａを有するため、スペーサ１をドリルスタンド２０に対して摺動させると、スプリング８が凹１２をタブノーズ２１ａに嵌まるようにして、タブノーズ２１ａが第１端面６上の凹部１２と係合する。これによってスペーサ１を取り付けたドリルモータ３０をドリルスタンド２０に対して一時的に保持することができる。
【００２７】
ドリルモータ３０、スペーサ１及びドリルスタンド２０が一旦一時的に所定の位置に保持されたら、これらを所定の位置でロックする必要がある。そのため、ドリルスタンドのタブノーズ２１ａを、ロック機構２３を使用して、スペーサの凹部１２内へ垂直方向に駆動することができる。このことは、ホイール２４（図６）をグリップ２３に対して動かすことにより良好に行なわれて、締つけられる。そうするとスペーサ１はドリルスタンド２０に向かって締め付けられ、ドリルモータ３０はスペーサ１に対して締め付けられる。
【００２８】
タブノーズ２１ａをこのように駆動させると、タブノーズは凹部１２と接触する。タブノーズ２１ａ及び凹部１２のロック面１０はそれぞれ、それぞれの台形の輪郭の平行ではない辺の一部を構成することから、ロック面１０において、タブノーズ２１ａの面により形成されるロック面によるロック力が加わると、それが、ドリルスタンド２０において第１端面６が第１面４から離れるように駆動して、ロック部材をその許容された移動方向に沿って駆動する。
【００２９】
これにより今度は第２端面７が第１面４の方向に移動し、舌片３２にある凹部３３のロック面に力が加わる。このため、１つのロック機構２３でドリルスタンド２０をスペーサ１に、またスペーサ１をドリルモータ３０にロックすることができる。
【００３０】
ドリル３０をドリルスタンド２０からさらに離間させたいならば、複数のスペーサ１ａ、１ｂを、添付の図面の図７に示すように直列に連結することができる。あるスペーサ１ｂの第１端面６ｂは隣のスペーサ１ａの第２端面７ａ内で受け止められる。適切なドリルスタンド２０とドリルモータ２０との間で連結されると、タブ２１によって加えられるロック力が依然としてロック部材３を介して舌片３２に伝わり、全ての部材がロックされる。これら少なくとも２つのスペーサがそれぞれ異なる高さを有する、すなわち第１面４と第２面５との間の距離が異なるならば、数多くの異なる離間を成し遂げることができる。１又は２つのスペーサを使用し、それぞれ高さ５０ｍｍ及び７５ｍｍを有するならば、５０、７５、１００、１２５、１５０ｍｍ等の数多くの異なる離間を成し遂げることができる。
【図１】
0005898385.tif 000002
【図２】
0005898385.tif 000003
【図３】
0005898385.tif 000004
【図４】
0005898385.tif 000005
【図５】
0005898385.tif 000006
【図６】
0005898385.tif 000007
【図７】
0005898385.tif 000008